(57)【要約】【課題】ホストから複数毎連続でＲＦ−ＩＤ素子に書き込む情報を送信した場合等に、ホストが発行履歴情報を記憶してから書き込み情報を送出しても、媒体搬送中にジャムエラーや、ＲＦ−ＩＤ素子へのデータ書き込みエラー等で発行が異常終了した場合、実際には発行されていないにも係わらず正常記録と同様に発行履歴に残ってしまう。さらに、ホストに記憶されている発行履歴情報の発行時間はホストから出力された時間であり、実際に媒体が発行された時間ではない。【課題を解決するための手段】情報の書き込みが終了し、ラベル等１枚の記録媒体を出力した発行履歴の記憶し、且つ送信できるようにした。【選択図】　　図１
2004110230.tif 000002
【特許請求の範囲】
【請求項１】
メモリとアンテナを含む無線通信素子を内蔵する媒体の
前記無線通信素子と通信を行なう為の通信アンテナと、
前記通信アンテナを介して前記メモリに情報を書き込む情報書き込み手段と、
前記情報書き込み手段により前記メモリに情報を書き込んだ媒体を発行した発行履歴を記憶する発行履歴記憶手段と、
前記発行履歴記憶手段により記憶した発行履歴情報を出力する発行履歴出力手段を有することを特徴とする通信装置。
【請求項２】
メモリとアンテナを含む無線通信素子を内蔵する媒体と、
前記無線通信素子と通信を行なう為の通信アンテナと、
前記通信アンテナを介して前記メモリに情報を書き込む情報書き込み手段と、
前記情報書き込み手段により前記メモリに情報を書き込んだ媒体を発行した発行履歴を記憶する発行履歴記憶手段と、
前記発行履歴記憶手段により記憶した発行履歴情報を出力する発行履歴出力手段と、
前記発行履歴記憶手段からの前記発行履歴情報を受け取る情報機器とを有することを特徴とする通信システム。
【請求項３】
前記通信装置は外部端末との通信手段を有し、前記発行履歴出力手段は通信手段に発行履歴情報を出力する出力手段である
ことを特徴とする請求項１に記載の通信装置。
【請求項４】
前記通信装置は履歴記録手段を有し、前記出力手段は該記録手段に発行履歴情報を出力する出力手段である
ことを特徴とする請求項１に記載の通信装置。
【請求項５】
前記出力手段は、所定枚数の媒体発行時に発行履歴を出力する
ことを特徴とする請求項１から４に記載の通信装置。
【請求項６】
前記出力手段は、発行履歴出力要求発生時に発行履歴を出力することを特徴とする請求項１から４に記載の通信装置。
【請求項７】
請求項１から６に記載の装置と、メモリとアンテナを含む無線通信素子を内蔵する媒体表面に記録情報を記録する情報記録手段を有することを特徴とする通信システム。
【請求項８】
前記発行履歴記憶手段は、前記情報書き込み手段による情報の書き込み終了後に、実行されることを特徴とする
請求項１から５に記載の通信装置。
【請求項９】
前記発行履歴記憶手段は、前記情報書き込み手段による情報の書き込みと前記情報記録手段による記録情報の記録が終了後に実行されることを特徴とする請求項７に記載の通信システム。
【請求項１０】
前記履歴情報は、前記通信アンテナを介して前記メモリに書き込む書き込み情報又は、前記無線通信素子個々の識別情報又は、媒体の発行日時情報の何れかを含むことを特徴とする請求項１から６、及び８に記載の通信装置。
【請求項１１】
無線通信素子を備えた記録媒体に画像を記録する記録手段と、前記無線通信素子と通信を行なう為の通信アンテナと、
前記通信アンテナを介して前記メモリに情報を書き込む情報書き込み手段と、
前記情報書き込み手段により前記メモリに情報を書き込んだ記録媒体の発行履歴を記憶する発行履歴記憶手段と、
前記発行履歴記憶手段により記憶した発行履歴情報を出力する発行履歴出力手段と、
メモリとアンテナを含む無線通信素子を内蔵する媒体表面に記録情報を記録する情報記録手段とを有することを特徴とする記録装置。
【請求項１２】
メモリとアンテナを含む無線通信素子を内蔵する媒体の前記無線通信素子と通信を行なう為の通信アンテナと、
前記通信アンテナを介して前記メモリに情報を書き込む情報書き込み手段と、
前記情報書き込み手段により前記メモリに情報を書き込んだ媒体を発行した発行履歴を記憶する発行履歴記憶手段と、
前記発行履歴記憶手段により記憶した発行履歴情報を出力する発行履歴出力手段を有する通信装置と通信を行なうプログラムを記憶したコンピュータにより読み出し可能な記憶媒体であって、前記通信装置より、出力した発行履歴情報をメモリに蓄積するステップを備えたことを特徴とする記憶媒体。
【請求項１３】
無線通信素子のメモリへ書き込む第１の情報と、前記無線通信素子を内蔵する記録媒体に記録する第２の情報を作成する情報処理装置と、前記第１及び第２の情報を受信し、前記無線通信素子に前記第１の情報を書き込み、前記記録媒体に前記第２の情報を記録し、更に前記第１の情報の書き込み、前記第２の情報の記録が完了した前記記録媒体の発行履歴を記憶する発行履歴記憶手段とを有する記録システム。
【請求項１４】
更に前記発行履歴を出力する発行履歴出力手段を有することを特徴とする請求項１３に記載の記録システム。
【請求項１５】
無線通信素子のメモリへ書き込む第１の情報と、前記無線通信素子を内蔵する記録媒体に記録する第２の情報を作成する情報処理装置と、前記第１及び第２の情報を受信し、前記無線通信素子に前記第１の情報を書き込み、前記記録媒体に前記第２の情報を記録し、更に前記第１の情報の書き込み、前記第２の情報の記録が完了した前記記録媒体の発行履歴を記憶する発行履歴記憶手段と前記発行履歴を出力する発行履歴出力手段を有する第１の記録装置と
前記発行履歴を受信し記録する第２の記録装置から成る記録媒体発行システム。
【発明の詳細な説明】
【０００１】
【発明の属する技術分野】
本発明は、媒体に付属しているメモリとアンテナを含む無線通信素子を備えた例えば、ＲＦ−ＩＤ素子に対して、非接触で情報を書き込むことが可能な通信装置、通信システム、記録装置又は、記録システムに関するものである。
【０００２】
【従来の技術】
近年、非接触で情報を書き込み／読み出し可能である集積回路チップとアンテナを備えたＲＦ−ＩＤ（Ｒａｄｉｏ　Ｆｒｅｑｕｅｎｃｙ　Ｉｄｅｎｔｉｆｉｃａｔｉｏｎ）素子が開発されており、数十円〜数百円／個とコストが高いが、非接触で読み書き可能という利点を生かして、カット紙、ラベル紙、タグ紙、プラスチックカード等の媒体に付属されて使用されている。
【０００３】
ＲＦ−ＩＤ素子はセキュリティー性が高い為、高付加価値な情報を書き込む用途に使用される場合が多く、ＲＦ−ＩＤを内蔵した媒体を発行する場合には、不具合等が発生しないように媒体を発行した発行履歴を保存し、管理を厳重に行なう必要がある。
【０００４】
従来は、ＲＦ−ＩＤ素子に書き込む情報を作成するホスト上のアプリケーションソフトが「実行したファイル名」や「発行日時」等の情報を履歴ファイルとしてメモリに記憶した後、ＲＦ−ＩＤ素子に書き込む情報をＲＦ−ＩＤ素子に書き込むことが可能な装置に送信し、ＲＦ−ＩＤ情報を書き込むことが可能な装置はＲＦ−ＩＤ素子に書き込む情報を受信し、装置にセットされている媒体をＲＦ−ＩＤアンテナの下部まで搬送させて、媒体に内蔵しているＲＦ−ＩＤ素子に情報を書き込み、装置外へ排出して発行していた。
（例えば特許文献１参照）
【特許文献１】
特願２００２−１０８９４２（第１−６頁、図１）
【０００５】
【発明が解決しようとしている課題】
従来の方法では、ホストから複数毎連続でＲＦ−ＩＤ素子に書き込む情報を送信した場合等に、ホストが発行履歴情報を記憶してから書き込み情報を送出しても、媒体搬送中にジャムエラーや、ＲＦ−ＩＤ素子へのデータ書き込みエラー等で発行が異常終了した場合、実際には発行されていないにも係わらず正常記録と同様に発行履歴に残ってしまう。
【０００６】
さらに、ホストに記憶されている発行履歴情報の発行時間はホストから出力された時間であり、実際に媒体が発行された時間ではない。
【０００７】
本発明は、正確にＲＦ−ＩＤ素子内蔵媒体の発行履歴を記憶することが可能な通信装置及び通信システムを提供することを目的とする。
【０００８】
【課題を解決する為の手段】
上記目的を達成するため本発明は、下記の手段を実施した。
【０００９】
メモリとアンテナを含む無線通信素子を内蔵する媒体の
前記無線通信素子と通信を行なう為の通信アンテナと、
前記通信アンテナを介して前記メモリに情報を書き込む情報書き込み手段と、
前記情報書き込み手段により前記メモリに情報を書き込んだ媒体を発行した発行履歴を記憶する発行履歴記憶手段と、
前記発行履歴記憶手段により記憶した発行履歴情報を出力する発行履歴出力手段を有することを特徴とする通信装置。
【００１０】
メモリとアンテナを含む無線通信素子を内蔵する媒体と、
前記無線通信素子と通信を行なう為の通信アンテナと、
前記通信アンテナを介して前記メモリに情報を書き込む情報書き込み手段と、
前記情報書き込み手段により前記メモリに情報を書き込んだ媒体を発行した発行履歴を記憶する発行履歴記憶手段と、
前記発行履歴記憶手段により記憶した発行履歴情報を出力する発行履歴出力手段と、
前記発行履歴記憶手段からの前記発行履歴情報を受け取る情報機器とを有することを特徴とする通信システム。
【００１１】
前記通信装置は外部端末との通信手段を有し、前記発行履歴出力手段は通信手段に発行履歴情報を出力する出力手段である
ことを特徴とする通信装置。
【００１２】
前記通信装置は履歴記録手段を有し、前記出力手段は該記録手段に発行履歴情報を出力する出力手段であることを特徴とする通信装置。
【００１３】
前記出力手段は、所定枚数の媒体発行時に発行履歴を出力する
ことを特徴とする通信装置。
【００１４】
前記出力手段は、発行履歴出力要求発生時に発行履歴を出力することを特徴とする通信装置。
【００１５】
前記に記載の装置と、メモリとアンテナを含む無線通信素子を内蔵する媒体表面に記録情報を記録する情報記録手段を有することを特徴とする通信システム。
【００１６】
前記発行履歴記憶手段は、前記情報書き込み手段による情報の書き込み終了後に、実行されることを特徴とする通信装置。
【００１７】
前記発行履歴記憶手段は、前記情報書き込み手段による情報の書き込みと前記情報記録手段による記録情報の記録が終了後に実行されることを特徴とする通信システム。
【００１８】
前記履歴情報は、前記通信アンテナを介して前記メモリに書き込む書き込み情報又は、前記無線通信素子個々の識別情報又は、媒体の発行日時情報の何れかを含むことを特徴とする通信装置。
【００１９】
無線通信素子を備えた記録媒体に画像を記録する記録手段と、前記無線通信素子と通信を行なう為の通信アンテナと、
前記通信アンテナを介して前記メモリに情報を書き込む情報書き込み手段と、
前記情報書き込み手段により前記メモリに情報を書き込んだ記録媒体の発行履歴を記憶する発行履歴記憶手段と、
前記発行履歴記憶手段により記憶した発行履歴情報を出力する発行履歴出力手段と、
メモリとアンテナを含む無線通信素子を内蔵する媒体表面に記録情報を記録する情報記録手段とを有することを特徴とする記録装置。
【００２０】
メモリとアンテナを含む無線通信素子を内蔵する媒体の前記無線通信素子と通信を行なう為の通信アンテナと、
前記通信アンテナを介して前記メモリに情報を書き込む情報書き込み手段と、
前記情報書き込み手段により前記メモリに情報を書き込んだ媒体を発行した発行履歴を記憶する発行履歴記憶手段と、
前記発行履歴記憶手段により記憶した発行履歴情報を出力する発行履歴出力手段を有する通信装置と通信を行なうプログラムを記憶したコンピュータにより読み出し可能な記憶媒体であって、前記通信装置より、出力した発行履歴情報をメモリに蓄積するステップを備えたことを特徴とする記憶媒体。
【００２１】
無線通信素子のメモリへ書き込む第１の情報と、前記無線通信素子を内蔵する記録媒体に記録する第２の情報を作成する情報処理装置と、
前記第１及び第２の情報を受信し、前記無線通信素子に前記第１の情報を書き込み、前記記録媒体に前記第２の情報を記録し、更に前記第１の情報の書き込み、前記第２の情報の記録が完了した前記記録媒体の発行履歴を記憶する発行履歴記憶手段とを有する記録システム。
【００２２】
更に前記発行履歴を出力する発行履歴出力手段を有することを特徴とする記録システム。
【００２３】
無線通信素子のメモリへ書き込む第１の情報と、前記無線通信素子を内蔵する記録媒体に記録する第２の情報を作成する情報処理装置と、
前記第１及び第２の情報を受信し、前記無線通信素子に前記第１の情報を書き込み、前記記録媒体に前記第２の情報を記録し、更に前記第１の情報の書き込み、前記第２の情報の記録が完了した前記記録媒体の発行履歴を記憶する発行履歴記憶手段と前記発行履歴を出力する発行履歴出力手段を有する第１の記録装置と
前記発行履歴を受信し記録する第２の記録装置から成る記録媒体発行システム。
【００２４】
【作用】
本発明は、通信装置及び通信システムにおいて、正確にＲＦ−ＩＤ素子内蔵媒体の発行履歴を記憶することができる。
【００２５】
【発明の実施の形態】
以下、図面を参照して本発明の通信システムに係わる実施例について詳細に説明する。
【００２６】
（第１の実施例）
本実施例で使用するＲＦ−ＩＤ素子内蔵のラベル紙を図７に示す。
【００２７】
ラベル紙（７００）はロール状に巻かれており、台紙（７０１）上に複数のラベル（７０２）が貼り付けられている。
【００２８】
ラベル（７０２）には、例えばＲＦ−ＩＤ素子（７０３）が内蔵されている。
【００２９】
本実施例で使用する制御装置であるパーソナルコンピュータ（以下「ＰＣ」）のブロック図を図８に示す。
【００３０】
ＰＣ（１０２）では、オペレーティングシステム（ＯＳ）の制御下でメインＣＰＵ（８００）が各種プログラムを実行する。
【００３１】
メインＣＰＵ（８００）のシステムバスはローカルバスとしてのＰＣＩバス、及びＩＳＡバスと夫々、ホスト／ＰＣＩブリッジ（８０２）、及びＰＣＩ／ＩＳＡブリッジ（８０５）を経由した階層的なバスを有して各ハードウェアと接続される。
【００３２】
尚、メインＣＰＵ（８００）のシステムバスにはＬ２−キャッシュ（８０１）と呼ぶＳＲＡＭを使用した高速のメモリをもち、メインＣＰＵ（８００）が常時アクセスするような、コード、データを記憶する。
【００３３】
メインメモリ（８０３）はオペレーティングシステム（ＯＳ）、本発明によるアプリケーションプログラム、記録装置（１００）用プリンタドライバ等、実行プログラムの一時的記憶領域で且つ、各プログラム実行のための作業用メモリ領域としても用いられる。これらの実行プログラムは例えばハードディスクドライブＨＤＤ（８０４）から読み出されるものである。
【００３４】
メインメモリ（８０３）にはアプリケーションプログラムによって編集されたＲＧＢの表示データ、そして記録装置（１００）用プリンタドライバによってＲＧＢからＣＭＹＫ信号に変換された記録データも一時的に記憶され、アプリケーションプログラムの実行指示によって、表示信号はビデオコントローラ（８０６）を介してＶＲＡＭ（Ｖｉｄｅｏ−ＲＡＭ）（８０７）に書き込まれる。
【００３５】
そしてメインメモリ（８０３）では記録装置へ送信するための、アプリケーションプログラムで生成する（図４にて後述する）各コマンド、記録データ、無線通信素子への書き込みデータ等も一時的に記憶する。
【００３６】
各コマンド、記録データ、無線通信素子への書き込みデータは通信インタフェース（８０９）を介し、記録装置（１００）に送信される。
【００３７】
発行履歴情報は記録装置（１００）から通信インタフェース（８０９）を介して受信し、メインメモリ（８０３）に記憶する。
【００３８】
ビデオコントローラ（８０６）はＶＲＡＭ（８０７）に書き込まれたＲＧＢの表示データを連続的、且つ継続的に読み出し、ＣＲＴ，ＬＣＤ、ＰＤＰ等のディスプレイ（１０６）にビデオ信号として継続的に転送する。
【００３９】
記録装置（１００）との通信インタフェース（８０９）はＰＣＩバスに接続されており、使われるインタフェースは例えば双方向セントロニクス、ＵＳＢ、ネットワーク等がある。
【００４０】
ＲＯＭ（８１２）は入出力回路（図示せず）を介して接続されるキーボード（１０７）、マウス（１０８）、ＣＤＤ（８０８）やＦＤＤ（８１０）等の入出力機器を制御するＢＩＯＳ（Ｂａｓｉｃ　Ｉｎｐｕｔ　Ｏｕｔｐｕｔ　Ｓｙｓｔｅｍ）プログラム、パワーＯＮ時の初期化、自己診断プログラム等を格納し、ＥＥＰＲＯＭ（８１１）は恒久的に利用する各種のパラメータを記憶させるための不揮発性のメモリである。
【００４１】
本実施例で使用する、長尺のラインヘッドを用いたインクジェット方式によるラベル記録装置（１００）（以下「記録装置」）とＰＣを接続した構成図を図１に示す。
【００４２】
記録装置（１００）の正面には操作パネル（１０５）が装着されており、給紙部（１０１）には記録媒体であるロール状に巻かれたラベル紙（１０４）がセットされている。
【００４３】
ＰＣ（１０２）と記録装置（１００）はプリンタケーブル（１０３）で接続され、ＰＣ（１０２）内のＣＰＵ（８００）がアプリケーションソフトを実行することで、メインメモリ（８０３）に記憶されている記録情報を制御コマンドに変換し、通信インタフェース（８０９）を介してプリンタケーブル（１０３）に出力し、更に記録装置（１００）から送信した発行履歴情報をプリンタケーブル（１０３）、通信インタフェース（８０９）を介して入力し、メインメモリ（８０３）に記憶する。
【００４４】
本実施例で使用する記録装置の概略構成を示す断面図を図２に示す。
【００４５】
記録装置（１００）は、画像を形成する記録部（２００）、給紙部（１０１）を備えている。
【００４６】
給紙部（１０１）は、給紙モータを駆動してラベル紙（１０４）を記録部（２００）に繰り出す。
【００４７】
記録部（２００）は、ラベル紙（１０４）を搬送させるための搬送ベルト（２０４）と、搬送ベルト（２０４）を駆動する為に搬送モータにより駆動される搬送ローラ（２０３）と、インクを吐出する記録ヘッド（２０１）と、用紙の位置を検知する為のＴＯＦ（Ｔｏｐ　Ｏｆ　Ｆｏｒｍ）センサ（２０５）と、インクタンク（２０７）等から成る。
【００４８】
インクタンク（２０７）は、記録ヘッド（２０１）とチューブ（不図示）で接続されており、ポンプモータ（不図示）を制御することで記録ヘッド（２０１）へインクを供給する。
【００４９】
記録部（２００）では、搬送ベルト（２０４）上を搬送しているラベル紙に対してＴＯＦセンサ（２０５）でラベルの先端位置を検出し、検出した位置を基準にして、ＲＦ−ＩＤ用通信アンテナ（２０２）でラベルに内蔵しているＲＦ−ＩＤ素子にデータを書き込み、更に記録データに応じてヘッド（２０１）からインクを選択的に吐出させ、ラベルの表面に画像記録する。
【００５０】
ＴＯＦセンサ（２０５）でラベルの先端を検出した状態で、ＲＦ−ＩＤ通信アンテナ（２０２）は、ラベルに内蔵しているＲＦ−ＩＤ素子上部に位置するように予め調整されており、この時点でＲＦ−ＩＤ素子に対してデータを書き込むことが可能である。
【００５１】
本実施例で使用する記録装置の操作パネル（１０５）の概略を図３に示す。
【００５２】
操作パネル上には、記録装置の状態等を表示する液晶ディスプレイ（３０５）、エラー発生を通知するエラーＬＥＤ（３０３）、電源投入状態等を通知するレディＬＥＤ（３０４）、記録ジョブを中止させる中止キー（３０１）、電源のＯＮ／ＯＦＦを行なう電源キー（３００）、記録装置の状態を通知するブザー（３０２）が存在する。
【００５３】
本実施例で使用するＰＣ（１０２）から出力する制御コマンドの構造を図４に示す。
【００５４】
制御コマンドとしては、記録する連続紙の種類等を設定する用紙設定コマンド（４００）、記録データの基準となる設定が存在するフォーマットコマンド（４０１）、データコマンドの属性を示す属性部（４０２、４０３，４０４）、データコマンドのデータ部（４０５）、記録データの送信終了を示すと共にジョブ開始を指示するジョブ開始コマンド（４０６）が存在し、それらのコマンドを記録コマンド転送例（４０７）の様に出力する。
【００５５】
ラベル紙に内蔵されているＲＦ−ＩＤ素子に書き込むデータは、ＲＦ−ＩＤコマンド（４０４）により指定する。
【００５６】
フォーマットコマンド（４０１）の履歴モード（４０８）は各値に対して、
履歴モード＝０：発行履歴情報をＰＣに送信しない
履歴モード＝１：発行履歴情報をＰＣに送信する
に各々対応し、送信単位（４０９）は、「履歴モード＝１」の場合、送信単位（４０９）に指定されている枚数が発行される毎に発行履歴テーブルに記憶されている発行履歴情報をＰＣ（１０２）に送信する。
【００５７】
本実施例で記録装置（１００）からＰＣ（１０２）に送信する発行履歴情報のコマンドを図９に示す。
【００５８】
発行履歴情報としては、ＲＦ−ＩＤ素子への書き込み情報（９００）と、ＲＦ−ＩＤ素子のユニークＩＤ情報（９０１）と、発行日付情報（９０２）と、発行時間情報（９０３）が存在し、送信する発行履歴情報の個数は履歴個数（９０４）で指定する。本コマンドを記録装置内（１００）で作成し、ＰＣ（１０２）へ送信する。
【００５９】
本実施例で記録装置（１００）が記憶している発行履歴テーブルを図１１に示す。
【００６０】
本テーブルは、発行履歴情報を蓄積したテーブルであり、ＲＦ−ＩＤ書き込み情報（１１００）と、ＲＦ−ＩＤユニークＩＤ情報（１１０１）と、発行日付情報（１１０２）と、発行時間情報（１１０３）とを、テーブル化してＲＡＭ（５０２）に蓄積（１００９）しているものである。
本実施例における記録装置の電気的な簡易ブロック図を図５に示す。
【００６１】
ＭＰＵ（マイクロプロセッサ）（５００）は、プログラムＲＯＭ（５０１）に格納され、例えば図６及び図１３に示すフローに対応した制御プログラムを実行することで以下の制御を実現する。
１）ＰＣ（１０２）から出力された制御コマンドをインタフェースドライバ（５０５）を制御して受信する。
２）受信した制御コマンドのうち、用紙設定コマンド（４００）やフォーマットコマンド（４０１）の履歴モード（４０８）、送信単位（４０９）を含む各種設定値はＲＡＭ（５０２）に記憶（図１０、１０００〜１００７参照）し、イメージコマンド（４３）のイメージデータはＶＲＡＭ（５０４）に展開する。キャラクタコマンド（４０２）のキャラクタデータはＣＧＲＯＭ（５０３）から該当するキャラクタデータを読み出しＶＲＡＭ（５０４）に展開し、ＲＦ−ＩＤ書き込みデータはＲＡＭ（５０２）に記憶（図１０、１００８参照）する。
３）出力ポート（５１０）を介してモータドライバ（５１１、５１３、５１５）を制御することで搬送モータ（５１２）、給紙モータ（５１４）、ポンプモータ（５１６）を駆動する。
４）記録装置の状態に応じて、出力ポート（５１０）を介して、エラーＬＥＤ（３０３）、レディＬＥＤ（３０１）、のＯＮ（点灯）／ＯＦＦ（消灯）を制御する。
５）ＲＦ−ＩＤの情報書き込み状態に応じて、出力ポート（５１０）を介して、ブザー（３０２）のＯＮ（鳴らす）　／ＯＦＦ（鳴らさない）を制御する。
６）入力ポート（５１９）を介して、周期的に電源キー（３００）、中止キー（３０１）、ＴＯＦセンサ（２０９）をスキャンし状態を監視する。
７）記録装置の状態に応じて液晶ドライバ（５０９）を制御することで、液晶ディスプレイ（３０５）に、キャラクタを表示させる。
８）ＴＯＦセンサ（２０９）からのラベル位置情報に応じて、ヘッド駆動回路（５０６）を制御することにより記録ヘッド（２０１）を駆動し、記録データに応じてインクを選択的に吐出させる。
９）ＴＯＦセンサ（２０９）からのラベル位置情報に応じて、ＲＦ−ＩＤ通信ドライバ（５０８）を制御することにより通信アンテナ（２０２）を介して、ＲＦ−ＩＤ素子のユニークＩＤを獲得するとともに、ＲＦ−ＩＤ素子への情報書き込みを行なう。
１０）記録ヘッド（２０１）による記録と、ＲＦ−ＩＤ素子へのデータ通信が終了すると、ＲＴＣ（Ｒｅａｌ　Ｔｉｍｅ　Ｃｌｏｃｋ）（５２０）から現在の時刻を読み出し、発行履歴情報（ＲＦ−ＩＤ素子への書き込みデータ／ＲＦ−ＩＤ素子のユニークＩＤ／発行日時）を発行履歴情報テーブル（１００９）に記憶して蓄積する。
１１）インタフェースドライバ（５０５）を制御してＰＣ（１０２）へ発行履歴テーブルに記憶されている発行履歴情報を送信する。
【００６２】
本実施例における記録装置の記録ジョブのフローチャートを図６に示す。
【００６３】
本フローチャートの動作はプログラムＲＯＭ（５０１）に格納された前述の制御プログラムをＭＰＵ（５００）が実行することで実現する。
【００６４】
ＰＣ（１０２）から制御コマンドの受信開始すると、本処理がＭＰＵ（５００）により起動され、データ展開処理（６００）により、各種記録データをＶＲＡＭ（５０４）に展開し、各種設定値やＲＦ−ＩＤデータはＲＡＭ（５０２）に記憶される。
【００６５】
次に、ＲＡＭ（５０２）上の領域であるＮ（１０１０）に０を代入（６０１）し、給紙モータと搬送モータを駆動開始（６０２）させ、記録媒体が搬送され、ＴＯＦセンサでラベル先端を検知（６０３：Ｙｅｓ）したらＲＦ−ＩＤ情報書き込み処理（６０４）を実行する。
【００６６】
次に、ラベル表面に記録データを記録（６０５）し、「履歴モード＝１」の場合（６０７：Ｙｅｓ）は、Ｎをインクリメント（６０６）し、発行履歴情報を作成して発行履歴テーブルに記憶（６０８）する。
【００６７】
続いて、送信単位（１００７）とＮ（１０１０）を比較して等しい場合（６０９：Ｙｅｓ）は、発行履歴テーブルに記録されているＮ個の発行履歴情報をＰＣ（１０２）へ送出（６１０）し、発行履歴テーブルをクリア（６１１）し、Ｎに０を代入（６１２）する。
【００６８】
次に、記録ジョブが終了の場合（６１３：Ｙｅｓ）は、給紙モータと搬送モータを停止（６１４）させ、残データ送出処理（６１５）により、残データ（未発送の発行履歴情報）が存在する場合は残データをＰＣ（１０２）へ送出する。
【００６９】
上記の構成において、正確にＲＦ―ＩＤ素子内蔵媒体の発行履歴を記憶することができる通信装置及び通信システムの構成を実現することができる。
【００７０】
（第２の実施例）
第１の実施例の記録装置において、指定された枚数毎にＰＣに発行履歴情報を送信するのではなく、ＰＣからの発行履歴情報要求コマンドにより、発行履歴情報テーブルに登録されている発行履歴情報を返信することにより本実施例を実現することができる。
【００７１】
本実施例で記録装置（１００）から出力する発行履歴情報要求コマンドを図１２に示す。
【００７２】
コマンドとしては、例えば識別コードのみである。
【００７３】
本実施例における記録装置の記録ジョブのフローチャートを図１３に示す。
【００７４】
本フローチャートの動作はプログラムＲＯＭ（５０１）に格納された前述の制御プログラムをＭＰＵ（５００）が実行することで実現する。
【００７５】
ＲＡＭ（５０２）上の領域であるＮ（１０１０）は、記録装置の電源投入時の初期化処理で０を代入している。
【００７６】
ＰＣ（１０２）から制御コマンドの受信開始すると、本処理がＭＰＵ（５００）により起動され、受信コマンドが発行履歴情報要求コマンドであった場合（１３００：Ｙｅｓ）は、発行履歴テーブルに記憶されているＮ個の発行履歴情報を送出（１３１２）、続いて発行履歴テーブルをクリア（１３１３）し、Ｎに０を代入（１３１４）する。
【００７７】
発行履歴情報要求コマンドでなかった場合（１３００：Ｎｏ）は、データ展開処理（１３０２）により、各種記録データをＶＲＡＭ（５０４）に展開し、各種設定値やＲＦ−ＩＤデータはＲＡＭ（５０２）の所定エリアに記憶される。
【００７８】
次に、給紙モータと搬送モータを駆動開始（１３０３）し、記録媒体を搬送、ＴＯＦセンサでラベル先端を検知（１３０４：Ｙｅｓ）したらＲＦ−ＩＤ情報書き込み処理（１３０５）を実行する。
次に、ラベル表面に記録データを記録（１３０６）し、「履歴モード＝１」の場合（１３０７：Ｙｅｓ）は、Ｎをインクリメント（１３０８）し、発行履歴情報を作成して発行履歴テーブルに記憶（１３０９）する。
次に、記録ジョブの終了確認（１３１０）を行ない、終了の場合（１２１０：Ｙｅｓ）は、給紙モータと搬送モータを停止（１３１１）させる。
【００７９】
（第３の実施例）
第２実施例の記録装置を使用した記録システムにおいて、ＰＣに発行履歴記録用の第２の記録装置を接続し、発行履歴情報を記録することにより本実施例を実現することができる。
【００８０】
本実施例で使用する、長尺のラインヘッドを用いたインクジェット方式によるラベル記録装置（１００）（以下「記録装置」）と、ＰＣ（１０２）と、発行履歴情報記録装置であるレーザービームプリンタ（以下「ＬＢＰ」）（１４００）を接続したシステム構成図を図１４に示す。
【００８１】
ＰＣ（１０２）の通信インタフェース（８１３）と、ＬＢＰ（１４００）はプリンタケーブル（１４０１）で接続され、ＰＣ（１０２）内のＣＰＵ（８００）がアプリケーションソフトを実行することで、メインメモリ（８０３）に記憶されている発行履歴情報を制御コマンドに変換し、通信インタフェース（８１３）を介してプリンタケーブル（１４０１）に出力する。
【００８２】
本実施例におけるＰＣ（１０２）内で動作するアプリケーションソフトのフローチャートを図１５に示す。
【００８３】
本フローチャートの動作はハードディスクドライブＨＤＤ（８０４）からメインメモリ（８０３）にロードされた前述の制御プログラムをＰＣ（１０２）内のＣＰＵ（８００）が実行することで実現する。
【００８４】
ユーザが、ＲＦ−ＩＤ書き込みを行なう記録処理を実行することで、本処理がＣＰＵ（８００）により起動され、ユーザが指定したＲＦ−ＩＤデータ（ＲＦ−ＩＤ書き込み情報と媒体表面への記録情報を含む）を読み込み（１５０１）、該ＲＦ−ＩＤデータを記録装置（１００）に対応したコマンドに変換（１５０２）後、出力する（１５０３）。
【００８５】
ＰＣ（１０２）内のアプリケーションソフトは、プリンタケーブル（１４０１）を介して記録装置のステータスを受信し、記録装置の記録処理が終了（１５０４：Ｙｅｓ）すると、発行履歴情報要求コマンドを記録装置（１００）に送出（１５０５）し、記録装置から発行履歴情報を受信（１５０６）する。
【００８６】
次に、受信した発行履歴情報を、ＬＢＰ（１４００）に対応したコマンドに変換（１５０７）し、ＬＢＰ（１４００）へ送出（１５０８）し、ＬＢＰ（１４００）は受信した発行履歴情報をプリントアウトする。
【００８７】
（その他の実施例）
実施例では、記録媒体が台紙上に複数のラベルが貼られたラベル紙であったが、メモリとアンテナを含む無線通信素子を内蔵する媒体であれば、カット紙、プラスチックカード等の如何なる媒体であっても良い。
【００８８】
また実施例では、長尺ラインヘッドを用いたインクジェット方式のラベル記録装置で説明したが、メモリとアンテナを含む無線通信素子を内蔵する媒体と通信可能な記録装置であれば、インクリボン等を使用する熱転写方式の記録装置など、記録装置の種類や記録方式に限定されるものではない。
【００８９】
また実施例では、記録装置を用いて説明したが、メモリとアンテナを含む無線通信素子を内蔵する媒体と通信可能な通信装置であれば、その装置の種類に限定されるものではない。
【００９０】
【発明の効果】
以上説明したように、本発明の実施によりＲＦ−ＩＤ素子内蔵媒体の発行履歴を正確に記憶することができる。
【００９１】
【図面の簡単な説明】
【図１】実施例１〜２に使用した記録装置とＰＣの接続図である。
【図２】実施例１〜３に使用した記録装置の断面図である。
【図３】実施例１〜３に使用した記録装置の操作パネル図である。
【図４】実施例１〜３に使用したＰＣから送信する制御コマンドの構造図である。
【図５】実施例１〜３に使用した記録装置の電気的な簡易ブロック図である。
【図６】実施例１に使用した記録装置の記録ジョブのフローチャートである。
【図７】実施例１〜３に使用したラベル紙を示す図である。
【図８】実施例１〜３に使用したＰＣのブロック図である。
【図９】実施例１〜３に使用した発行履歴情報のコマンド構造図である。
【図１０】実施例１〜３に使用した記録装置のＲＡＭマップを示す図である。
【図１１】実施例１〜３に使用した記録装置が記憶している発行履歴テーブルを示す図である。
【図１２】実施例２〜３に使用した発行履歴情報要求コマンド構造図である。
【図１３】実施例２〜３に使用した記録装置の記録ジョブのフローチャートである。
【図１４】実施例３に使用した記録装置とＰＣとＬＢＰの接続図である。
【図１５】実施例３に使用したアプリケーションソフトのフローチャートである。
【符号の説明】
２００　　記録部
２０１　　記録ヘッド
２０２　　ＲＦ−ＩＤ通信アンテナ
２０３　　搬送ローラ
２０４　　搬送ベルト
２０５　　ＴＯＦセンサ
２０７　　インクタンク
５００　　ＭＰＵ
５０１　　プログラムＲＯＭ
５０２　　ＲＡＭ
５０３　　ＣＧＲＯＭ
５０４　　ＶＲＡＭ
５０５　　インタフェースドライバ
５０６　　ヘッド制御回路
５０８　　ＲＦ−ＩＤ通信ドライバ
５０９　　液晶ドライバ
５１０　　出力ポート
５１９　　入力ポート
５２０　　ＲＴＣ（Ｒｅａｌ　Ｔｉｍｅ　Ｃｌｏｃｋ）
７００　　ラベル紙
７０１　　台紙
７０２　　ラベル
７０３　　ＲＦ−ＩＤ素子
８００　　ＣＰＵ
８０１　　Ｌ２−キャッシュ
８０２　　ホスト／ＰＣＩブリッジ
８０３　　メインメモリ
８０４　　ハードディスクドライブＨＤ
８０５　　ＰＣＩ／ＩＳＡブリッジ
８０６　　ビデオコントローラ
８０７　　ＶＲＡＭ
８０８　　ＣＤＤ
８０９　　通信インタフェース
８１０　　ＦＤＤ
８１１　　ＥＥＰＲＯＭ
８１２　　ＲＯＭ
８１３　　通信インタフェース
１４００　ＬＢＰ
１４０１　プリンタケーブル
【図１】
2004110230.tif 000003
【図２】
2004110230.tif 000004
【図３】
2004110230.tif 000005
【図４】
2004110230.tif 000006
【図５】
2004110230.tif 000007
【図６】
2004110230.tif 000008
【図７】
2004110230.tif 000009
【図８】
2004110230.tif 000010
【図９】
2004110230.tif 000011
【図１０】
2004110230.tif 000012
【図１１】
2004110230.tif 000013
【図１２】
2004110230.tif 000014
【図１３】
2004110230.tif 000015
【図１４】
2004110230.tif 000016
【図１５】
2004110230.tif 000017